(57)【要約】【課題】タッピングによる入力段における誤検出を低減するプロジェクター装置を提供する。【解決手段】画像表示装置は、ユーザーにより入力される振動に応じた信号を出力する振動センサーと、自装置内の温度を検出する温度センサーと、前記温度センサーが検出した温度に応じて冷却ファンの回転数を設定するファン制御部と、前記ファン制御部により設定される前記冷却ファンの回転数に応じた信号を除去するフィルタリング処理を前記振動センサーが出力する信号に対して行い、前記フィルタリング処理された信号より外部から入力された振動を示す振動情報を検出する振動検出部と、前記振動検出部が検出した前記振動情報に応じた処理を実行する制御部とを具備する。【選択図】図１
2010197704.tif 000002
【特許請求の範囲】
【請求項１】
ユーザーにより入力される振動に応じた信号を出力する振動センサーと、
自装置内の温度を検出する温度センサーと、
前記温度センサーが検出した温度に応じて冷却ファンの回転数を設定するファン制御部と、
前記ファン制御部により設定される前記冷却ファンの回転数に応じた信号を除去するフィルタリング処理を前記振動センサーが出力する信号に対して行い、前記フィルタリング処理された信号より外部から入力された振動を示す振動情報を検出する振動検出部と、
前記振動検出部が検出した前記振動情報に応じた処理を実行する制御部と
を具備する
ことを特徴とする画像表示装置。
【請求項２】
外部から入力される画像情報に基づく画像を表示する画像表示部を具備し、
前記制御部は、
前記振動検出部が検出した前記振動情報に応じて、前記画像情報に基づく画像を前記画像表示部に表示させるか否かの処理を選択する
ことを特徴とする請求項１に記載の画像表示装置。
【請求項３】
前記振動情報に対応付けて前記画像表示部が行う前記表示処理を記憶する記憶部を備え、
前記制御部は、
前記振動検出部が検出した前記振動情報に対応する前記表示処理を読み出して、読み出した前記表示処理を選択し、前記画像表示部に実行させる
ことを特徴とする請求項１又は請求項２に記載の画像表示装置。
【請求項４】
前記画像表示装置は、
前記画像情報に基づく画像をスクリーンに投射するプロジェクター装置である
ことを特徴とする請求項１から請求項３に記載の画像表示装置。
【発明の詳細な説明】
【技術分野】
【０００１】
本発明は、振動を与えることで操作できる画像表示装置に関する。
【背景技術】
【０００２】
プロジェクター装置の起動、停止、機能調整などの操作は、通常、ユーザーがプロジェクター装置に備えられたボタンスイッチや、リモコンのボタンスイッチなどを用いて行うか、あるいは、スクリーンに投射されるメニュー画面を見ながらプロジェクター装置又はリモコンのボタンスイッチを用いて行う。このような、プロジェクター装置に備えられたボタンスイッチや、リモコンのボタンスイッチは、ユーザーインターフェースと広く認知され用いられており、近年のプロジェクター装置の多機能化に伴い、プロジェクター装置及びリモコンのボタンスイッチの数が増加する傾向にある。
【０００３】
また、プロジェクター装置の多機能化に伴い、スクリーンに投影されたメニュー画面を見ながら操作をする場合、ユーザーは、プロジェクター装置の機能をグループごとに分けた階層構造として表示されるメニュー画面を選択して、所望の機能を選択する。そのため、ユーザーが所望の機能を選択するまでに複数の操作を行う必要があるので、所望の機能を選択するまでに時間を要することが多く、また、その操作が煩雑であるため、ユーザーの利便性を低下させる要因の１つとなっている。
【０００４】
上述の問題に対して、煩雑さを解決するボタンスイッチ以外の入力手段として、加速度センサーや慣性センサーなどを用いて、装置を軽く叩く（タッピング）ことにより入力を行う技術がある（特許文献１）。
【先行技術文献】
【特許文献】
【０００５】
【特許文献１】特開２００５−３１７０３１号公報
【発明の概要】
【発明が解決しようとする課題】
【０００６】
しかしながら、上述のタッピングによる入力手段をプロジェクター装置に用いた場合、プロジェクター装置が備える冷却ファンによる振動をタッピングとして誤って入力を検出してしまうという問題がある。
【０００７】
本発明は、上述の問題に鑑みなされたものであり、本発明の目的は、タッピングによる入力手段における誤検出を低減するプロジェクター装置を提供することにある。
【課題を解決するための手段】
【０００８】
（１）上記問題を解決するために、本発明は、ユーザーにより入力される振動に応じた信号を出力する振動センサーと、自装置内の温度を検出する温度センサーと、前記温度センサーが検出した温度に応じて冷却ファンの回転数を設定するファン制御部と、前記ファン制御部により設定される前記冷却ファンの回転数に応じた信号を除去するフィルタリング処理を前記振動センサーが出力する信号に対して行い、前記フィルタリング処理された信号より外部から入力された振動を示す振動情報を検出する振動検出部と、前記振動検出部が検出した前記振動情報に応じた処理を実行する制御部とを具備することを特徴とする画像表示装置である。
これにより、ユーザーが画像表示装置に振動を入力する動作の検出において、冷却ファンの回転により生じる振動に起因する振動をタッピングとして誤検出することを低減することができる。
【０００９】
（２）また、本発明は、上記記載の発明において、外部から入力される画像情報に基づく画像を表示する画像表示部を具備し、前記制御部は、前記振動検出部が検出した前記振動情報に応じて、前記画像情報に基づく画像を前記画像表示部に表示させるか否かの処理を選択することを特徴とする。
これにより、振動情報により画像表示装置に画像を表示させるか否かを選択でき、振動情報を不正利用防止のパスワードとすることにより、不正利用を防ぐことができる。
【００１０】
（３）また、本発明は、上記記載の発明において、前記振動情報に対応付けて前記画像表示部が行う前記表示処理を記憶する記憶部を備え、前記制御部は、前記振動検出部が検出した前記振動情報に対応する前記表示処理を読み出して、読み出した前記表示処理を選択し、前記画像表示部に実行させることを特徴とする。
これにより、複数の表示処理と振動情報とを対応付けて記憶部に記憶させることにより、振動を画像表示装置に入力する動作に応じて複数の表示処理からユーザーが所望の表示処理を選択することができる。
【００１１】
（４）また、本発明は、上記記載の発明において、前記画像表示装置は、前記画像情報に基づく画像をスクリーンに投射するプロジェクター装置であることを特徴とする。
これにより、振動をプロジェクター装置に入力する動作によりプロジェクター装置を操作することができる。
【００１２】
この発明によれば、タッピングによる入力の誤検出を低減することが可能となる。
【図面の簡単な説明】
【００１３】
【図１】本実施形態におけるプロジェクター装置の構成を示す概略ブロック図である。
【図２】本実施形態におけるプロジェクター装置の構成の一例を示す概略図である。
【図３】本実施形態におけるプロジェクター装置の動作を示すフローチャートである。
【発明を実施するための形態】
【００１４】
以下、本発明の実施するための形態を図面を参照して説明する。ここでは、画像表示装置の一例として、プロジェクター装置を用いて説明をする。
図１は、本実施形態におけるプロジェクター装置１００の構成を示す概略ブロック図である。図１に示すように、プロジェクター装置１００は、タッピング入力部１０と、キー入力部２０と、制御部３０と、画像表示部４０と、冷却部５０と、記憶部６０とを具備する。タッピング入力部１０は、ジャイロセンサー１１（振動センサー）と、振動検出部１２とを備える。冷却部５０は、ファン制御部５１と、温度センサー５２と、冷却ファン５３とを備える。
【００１５】
ジャイロセンサー１１は、角速度センサーであり、検出した振動に応じた信号を出力するセンサーである。また、ジャイロセンサー１１は、ユーザーによりプロジェクター装置１００を軽く叩いて振動を与える（タッピング）ことによりプロジェクター装置１００に入力された振動に応じた信号を出力する。
【００１６】
振動検出部１２は、冷却ファン５３が発生する振動による信号をジャイロセンサー１１が出力した信号から除去するローパスフィルター１２Ａを有し、冷却ファン５３の回転数に応じてローパスフィルター１２Ａが除去する周波数帯域を変化させる。また、振動検出部１２は、ローパスフィルター１２Ａにより高周波帯域の信号を除去するフィルタリング処理を行い、高周波帯域の信号を除去した信号からユーザーにより入力された振動の回数を検出し、検出した振動の回数を振動情報として制御部３０に出力する。
【００１７】
ここで、振動検出部１２は、高周波帯域の信号を除去した信号の振幅、すなわち、入力された振動の大きさ、が予め定めた閾値を超えた回数を振動の回数として検出する。
また、振動検出部１２が有するローパスフィルター１２Ａにより除去される高周波帯域の範囲は、プロジェクター装置１００の構成や、冷却ファン５３のモーターの大きさ及びファンの大きさなどにより異なるため、シミュレーションや、実機による測定結果などに基づいて定められる。また、振動の回数を検出するための閾値も、同様に、シミュレーションや、実機による測定の結果に基づいて定められる。更に、ローパスフィルター１２Ａは、冷却ファン５３の回転数に応じて、複数の除去する高周波数帯域から１つを選択する構成を有している。
【００１８】
キー入力部２０には、プロジェクター装置１００に備えられたボタンスイッチをユーザーが操作することによる操作情報、例えば、電源の供給を開始してプロジェクター装置１００を起動するなどの情報が入力される。
画像表示部４０は、外部から入力される画像情報に基づく画像を表示する。記憶部６０には、画像表示部４０が行う画像表示の処理と、振動検出部１２が出力する振動情報とが対応付けてられて予め記憶されている。
【００１９】
制御部３０は、キー入力部２０に入力された操作情報に応じて、プロジェクター装置１００の動作、例えば、外部より入力される画像情報を画像表示部４０に出力して画像情報に基づく画像を表示するなどの制御を行う。また、制御部３０は、キー入力部２０に入力される操作情報に応じて、プロジェクター装置１００の他の機能部、タッピング入力部１０、キー入力部２０、…、記憶部６０に電源を供給して起動すると共に、冷却部５０に冷却を開始する、すなわち、冷却ファン５３を駆動させる制御を行う。
【００２０】
また、制御部３０は、振動検出部１２が出力する振動情報（振動回数）に対応付けられた画像表示部４０が行う表示処理を記憶部６０から読み出して、読み出した表示処理を行う。ここで、画像表示部４０が行う表示処理は、例えば、表示する画像の明るさの変更や、コントラストの変更などの画像調整、表示する画像を一時停止するフリーズ機能、画像の表示を停止して画像情報以外の黒い画像を表示するミュート機能などである。
【００２１】
ファン制御部５１は、制御部３０から駆動の指示が入力されると、冷却ファン５３を駆動する制御を行う。また、ファン制御部５１は、温度センサー５２が検出するプロジェクター装置１００内の温度に応じて冷却ファン５３の回転数（回転速度）を設定し、冷却ファン５３によりプロジェクター装置１００内の空気を外部に排出させる量を制御して、プロジェクター装置１００内の温度を予め定めた温度以下に保つ制御を行う。例えば、ファン制御部５１は、プロジェクター装置１００内の温度が高い場合、冷却ファン５３の回転数を高くし、プロジェクター装置１００内の温度が低い場合、冷却ファン５３の回転数を低くする。
【００２２】
次に、図２は、本実施形態におけるプロジェクター装置１００の構成の一例を示す概略図である。図２に示すように、ジャイロセンサー１１は、プロジェクター装置１００の内部に備えられ、ユーザーによりプロジェクター装置１００に入力される振動、例えば、ユーザーによりプロジェクター装置１００の筐体を「トントン」と叩く振動を検出する。
【００２３】
なお、ジャイロセンサー１１が配置される位置は、外部から入力された振動を検出しやすい位置、例えば、プロジェクター装置１００の筐体を支える足が取り付けられる四隅のいずれかである。また、ユーザーが天面を叩くことが予想できる場合、プロジェクター装置１００の天面に備えてもよい。
【００２４】
続いて、図３は、本実施形態におけるプロジェクター装置１００の動作を示すフローチャートである。
プロジェクター装置１００は、ユーザーの操作によりキー入力部２０にプロジェクター装置１００を起動する操作情報が入力されると、制御部３０がキー入力部２０に入力された操作情報に応じて、タッピング入力部１０、キー入力部２０、…、記憶部６０に電源を供給して起動すると共に、制御部３０が、タッピング入力部１０から振動情報を待つ（ステップＳ１１）。
【００２５】
タッピング入力部１０の振動検出部１２は、ジャイロセンサー１１が出力する信号から冷却ファン５３の回転数に応じた高周波帯域の信号を除去するフィルタリング処理をして、ユーザーによりプロジェクター装置１００に振動が入力されたか否かを判定する（ステップＳ１２）。
【００２６】
振動を検出しない場合（ステップＳ１２：Ｎｏ）、制御部３０は、タッピング入力部１０から振動情報が出力されるのを待つ（ステップＳ１１に戻る）。
振動を検出した場合（ステップＳ１２：Ｙｅｓ）、振動検出部１２は、ジャイロセンサー１１が出力した信号に応じて、プロジェクター装置１００に入力された振動の回数を振動情報として、制御部３０に出力する。制御部３０は、振動検出部１２が出力した振動情報の振動回数に対応付けられた画像表示部４０の表示処理を記憶部６０から読み出して、読み出した表示処理を示す情報を画像表示部４０に出力し、画像表示部４０に読み出した表示処理（Ａ処理、Ｂ処理、…、Ｎ処理のうちいずれか１つの処理）を行わせる制御を行う（ステップＳ１４−１、Ｓ１４−２、…、Ｓ１４−Ｎ）。
【００２７】
ここで、Ａ処理、Ｂ処理、…、Ｎ処理は、例えば、表示する画像の明るさの変更や、コントラストの変更などの画像調整、表示する画像を一時停止するフリーズ機能、画像の表示を停止するミュート機能などである。
【００２８】
上述の動作により、プロジェクター装置１００は、ジャイロセンサー１１が振動に応じて出力する信号に対して、冷却ファン５３に起因する振動の信号を除去するフィルタリング処理をしてユーザーにより入力された振動を振動検出部１２により検出することで、ユーザーのタッピングによる入力の検出精度を向上させることができる。また、振動検出部１２が行うフィルタリング処理は、プロジェクター装置１００の内部の温度により変化する冷却ファン５３の回転数に応じて、除去する高周波帯域の信号を設定することにより、振動の誤検出を防ぎ、タッピングによる入力検出の精度を向上させることができる。
【００２９】
また、プロジェクター装置１００は、ユーザーがプロジェクター装置１００の筐体を軽く叩く（タッピング）により、スイッチボタンなどを介してキー入力部２０から操作情報を入力せずともプロジェクター装置１００の操作を行うことができる。これにより、ユーザーが頻繁に使用する画像表示部４０の表示処理と、振動情報の振動回数（タッピング回数）とを対応付けて予め記憶させておくことにより、煩雑なボタンスイッチ操作を行わずとも、プロジェクター装置１００の操作を行うことができ、ユーザーの利便性を向上させることができる。
【００３０】
また、画像表示部４０が、外部から入力される画像情報に基づいた画像の表示を開始するために、ユーザーがプロジェクター装置１００に振動を入力する操作（タッピング）を必ず必要とすることで、タッピングをプロジェクター装置１００の使用を開始するパスワードロックを解除するパスワードとして利用することができる。このように、タッピングによる振動情報をパスワードとして扱うことにより、プロジェクター装置１００を外部から見ただけではパスワード入力がタッピングであることが容易に想像できないため、プロジェクター装置１００を利用する権限のないユーザーが不正に利用することを防ぐことが可能となる。
【００３１】
なお、振動検出部１２は、ジャイロセンサー１１が出力する信号より振動回数を検出するとして説明したが、振動回数と共に、検出した振動それぞれの間の時間間隔を含む振動情報を出力するようにしてもよい。例えば、「トン、トン、トン」と「トン、ト、トン」とのように、振動の間隔が異なる入力を異なる振動情報として扱う。
その場合、記憶部６０には、検出した振動それぞれの間の時間間隔と、振動回数とを含む振動情報と、画像表示部４０が行う画像表示の表示処理とが対応付けて記憶される。制御部３０は、上述の時間間隔と振動回数を含む振動情報に対応付けられた画像表示部４０が行う画像表示の表示処理を記憶部６０から読み出して、画像表示部４０を制御する。更に、振動情報が検出した振動それぞれの間の時間間隔を含むことにより、振動情報のパスワードとしてのセキュリティ機能は更に向上し、プロジェクター装置１００を利用する権限のないユーザーによる不正利用をより防ぐことが可能となる。
【００３２】
なお、記憶部６０には、画像表示部４０が行う画像表示の表示処理と、振動検出部１２が出力する振動情報とが対応付けてられて予め記憶されているとしたが、ユーザーが画像表示部４０の行う画像表示の表示処理と、振動情報との対応付けを行ってもよい。その場合、ユーザーの操作によりキー入力部２０から対応付けの登録を行う旨の操作情報が入力され、制御部３０が、キー入力部２０から入力された操作情報により、振動検出部１２が出力する振動情報と、画像表示部４０の行う画像表示の表示処理とを対応付けて記憶部６０に書き込んで記憶する。
【００３３】
なお、本実施形態のプロジェクター装置１００として、例えば、光源が放射した白色光を、３原色成分である赤色光、青色光、緑色光に分離し、各色光ごとに各色光用の液晶ライトバルブ（光変調素子）に従って、画像データに応じた変調光に変調し、再合成したフルカラーの変調光を投映レンズを介してスクリーンに拡大投写する、いわゆる液晶３板式プロジェクター等が利用可能である。
また、プロジェクター装置１００は、液晶プロジェクターには限定されず、例えば、ＤＭＤ（Digital Micromirror Device）を用いたプロジェクター等であってもよい。
【００３４】
なお、画像表示装置は、プロジェクターに限られず、例えば、液晶画面を有するディスプレイ装置や通信端末等であってもよい。
また、プロジェクター装置１００のキー入力部２０は、プロジェクター装置１００に設けられるボタンスイッチを例に説明したが、本発明はこれに限られず、例えば、リモコン等から操作情報を受信し、遠隔操作がなされる構成であってもよい。
また、ジャイロセンサー１１は、角速度センサー以外にも、検出した振動に応じた信号を出力するセンサーを用いてもよい。
【符号の説明】
【００３５】
１００…プロジェクター装置、１０…タッピング入力部、１１…ジャイロセンサー
１２…振動検出部、２０…キー入力部、３０…制御部、４０…画像表示部
５０…冷却部、５１…ファン制御部、５２…温度センサー
５３…冷却ファン、６０…記憶部
【図１】
2010197704.tif 000003
【図２】
2010197704.tif 000004
【図３】
2010197704.tif 000005